(57)【要約】【課題】芯１５の繰出操作を行わずに細管状のガイドパイプ１２の先端を紙面１００に摺動させながら筆記を行う際に、ガイドパイプ１２が紙面１００に引っ掛かることなく、滑らかに筆記を行うことができるシャープペンシル１を得る。【解決手段】軸筒本体３の前方に先口４を着脱可能に装着し、先口４に設けた貫通孔４ｄに芯１５をガイドする細管状のガイドパイプ１２を前後摺動可能に挿着し、ガイドパイプ１２の後端に芯１５を保持する芯ホルダー１３を連接したシャープペンシル１であって、ガイドパイプ１２の前端に先口４の貫通孔４ｄの内径より大径の球部１４を設ける。【選択図】図５
2016112853.tif 000002
【特許請求の範囲】
【請求項１】
軸筒本体の前方に先口を着脱可能に装着し、前記先口に設けた貫通孔に芯をガイドする細管状のガイドパイプを前後摺動可能に挿着し、前記ガイドパイプの後端に前記芯を保持する芯ホルダーを連接したシャープペンシルであって、前記ガイドパイプの前端に前記先口の貫通孔の内径より大径の球部を設けたことを特徴とするシャープペンシル。
【請求項２】
前記球部の後端から前記先口の前端までの距離Ｌ１と前記芯ホルダーの後端から前記芯を挟持するチャックの前端までの距離Ｌ２との関係が、Ｌ１＜Ｌ２、なる条件を満たすことを特徴とする請求項１に記載のシャープペンシル
【発明の詳細な説明】
【技術分野】
【０００１】
本発明は、軸筒の前方に芯をガイドする細管状のガイドパイプを有したシャープペンシルに関する。
【背景技術】
【０００２】
従来より、特許文献１に記載があるように、軸筒の前方に細管状のガイドパイプを設けて芯をガイドする構造のシャープペンシルはよく知られている。
前記構造のシャープペンシルは、芯をガイドするガイドパイプが細管状であることから、筆記時において筆記箇所が見易く、携行時においてはガイドパイプを先口内に没入させて、ガイドパイプ及び芯の破損を防止することができる利点がある。
【０００３】
前記構造のシャープペンシルは芯の繰出操作を行わなくても、ガイドパイプの先端を紙面に摺動させながら筆記を行うことで、芯の減少に伴いガイドパイプが後退することで、筆記を継続させることが可能であり、そのような使用方法から、細管状のガイドパイプが紙面に引っ掛かることなく、滑らかに筆記を行えるものが求められている。
【先行技術文献】
【特許文献】
【０００４】
【特許文献１】特開２００６−２１８８２４号公報
【発明の概要】
【発明が解決しようとする課題】
【０００５】
本発明では、芯の繰出操作を行わずに細管状のガイドパイプの先端を紙面に摺動させながら筆記を行う際に、ガイドパイプが紙面に引っ掛かることなく、滑らかに筆記を行うことができるシャープペンシルを得ることを目的とした。
【課題を解決するための手段】
【０００６】
本発明は、
「１．軸筒本体の前方に先口を着脱可能に装着し、前記先口に設けた貫通孔に芯をガイドする細管状のガイドパイプを前後摺動可能に挿着し、前記ガイドパイプの後端に前記芯を保持する芯ホルダーを連接したシャープペンシルであって、前記ガイドパイプの前端に前記先口の貫通孔の内径より大径の球部を設けたことを特徴とするシャープペンシル。
２．前記球部の後端から前記先口の前端までの距離Ｌ１と前記芯ホルダーの後端から前記芯を挟持するチャックの前端までの距離Ｌ２との関係が、Ｌ１＜Ｌ２、なる条件を満たすことを特徴とする前記１項に記載のシャープペンシル。」である。
【０００７】
本発明のガイドパイプ及び該ガイドパイプの前端に設ける球部は、金属、樹脂、セラミックス等の材料で形成することができるが、鉄合金、特にステンレス、銅合金、特に真鍮が強度や成形性の面で優れており、中でもステンレスは耐蝕性が高く、真鍮とは異なりメッキ処理など表面処理を行う必要がなく好適である。
またガイドパイプの前端に設ける球部は、ガイドパイプと一体で成形しても別体で成形してもよく、ガイドパイプ及び球部を金属で形成する場合、球部をガイドパイプと一体で成形する際には切削加工により削り出して成形することができ、球部となる球部材をガイドパイプと別体で成形する際には球部材とガイドパイプとを溶接やロウ付により固着すればよい。
【０００８】
本発明では、ガイドパイプの前端に球部を設けることで、芯の繰出操作を行わずにガイドパイプの先端を紙面に摺動させながら筆記を行う場合にも、ガイドパイプの球部が紙面に引っ掛かることなく、滑らかに筆記を行うことができるものとなる。
ガイドパイプの内径及び外径は芯の太さ等に応じて適宜設定すればよく、ガイドパイプの外径は細ければ細いほど、筆記箇所がガイドパイプで隠れることを防止でき、その反面、ガイドパイプが細いことから、筆記している先端位置が分かり難くなるという心配もあるが、本発明のシャープペンシルでは、ガイドパイプの前端に設けた球部が目印になるため、筆記している位置が分かり易いものが得られる。
尚、ガイドパイプの外径に対して球部の外径は、１．４倍〜２．８倍で設定することが好ましく、１．４倍より小さい場合、球部の目印としての効果が薄れ、２．８倍より大きい場合、球部が筆記箇所を見難くしてしまう虞がある。
【０００９】
また、先口に対してガイドパイプは、前端の球部と後端の芯ホルダーとで抜け止め状態になることから、芯の詰まり等のメンテナンス時に、使用者が軸筒本体から先口を外した場合にも、先口からガイドパイプが脱落せず、ガイドパイプの紛失を防止することができる。
【００１０】
また、球部の後端から先口の前端までの距離Ｌ１と、芯ホルダーの後端から芯を挟持するチャックの前端までの距離Ｌ２との関係を、Ｌ１＜Ｌ２とすることで、前述した芯の減少に伴うガイドパイプの後退は、ガイドパイプの前端に設けた球部の後端が先口の前端に当接するまで筆記を継続することができ、Ｌ１＜Ｌ２であることから、最大にガイドパイプが後退しても、芯ホルダーとチャックとの間に必ず隙間が生じ、芯の繰り出し機構の破損を防止することが可能となる。
【発明の効果】
【００１１】
本発明のシャープペンシルは、芯の繰出操作を行わずに細管状のガイドパイプの先端を紙面に摺動させながら筆記を行う際に、ガイドパイプが紙面に引っ掛かることなく、滑らかに筆記を行うことができるものとなった。
【図面の簡単な説明】
【００１２】
【図１】本実施例のシャープペンシルの全体斜視図である。
【図２】図１のシャープペンシルの要部拡大断面図である。
【図３】図１のシャープペンシルの軸筒本体から先口を外した状態の図である。
【図４】図１のシャープペンシルで筆記を行っている状態の斜視図である。
【図５】図１のシャープペンシルで筆記を行っている状態の要部拡大断面図であり、図５Ａはガイドパイプが最も前進した状態を示し、図５Ｂはガイドパイプが最も後退した状態を示す。
【発明を実施するための形態】
【００１３】
次に図面を参照しながら、本発明の実施の形態の具体例（以下、実施例と記載する）を説明するが、本発明は以下の実施例に限定されるものではない。
また、説明を分かり易くするために、図面中の同様の部材、同様の部分については同じ番号を付してある。本実施例の説明においては、ガイドパイプがある側を前方と表現し、その反対側を後方と表現する。
【００１４】
図１は本実施例のシャープペンシルの全体斜視図であり、図２は要部拡大図である。
本実施例のシャープペンシル１は、軸筒２を、軸筒本体３の雄螺子部３ａと先口４の雌螺子部４ａとを螺合して構成し、軸筒本体３の後端開口３ｂから突出したノック体５をノック操作することで、軸筒２の内部に配設した芯タンク６を前進させ、芯タンク６の前方に連結したコネクター７に係着させたチャック８を、前記コネクター７と前記先口４の後方段部４ｂに係止させた固定具９との間に張架したコイルスプリング１０の弾発力に抗して前進させ、前記固定具９の前端と前記先口４の前方段部４ｃとの間で前後動可能な締具１１から前記チャック８を開放しながら、先口４の貫通孔４ｄに挿着させたガイドパイプ１２の貫通孔１２ａ、及びガイドパイプ１２の後端に連結した芯ホルダー１３の貫通孔１３ａ、ガイドパイプ１２の前端に球部材１４０を固着して成した球部１４の貫通孔１４ａを通して、芯１５を繰り出すことができるものである。
【００１５】
本実施例のガイドパイプ１２及び球部材１４０はステンレスで成形し、互いを溶接にて固着してある。また、本実施例の芯ホルダー１３はポリアセタールで成形し、前方に形成した凹部１３ｂに前記ガイドパイプ１２を圧入により嵌着してある。
したがって図３に示すように、軸筒本体３から先口４を外した状態においても、ガイドパイプ１２は、当該ガイドパイプ１２と共に前後動する前端の球部１４と後端の芯ホルダー１３とで先口４の貫通孔４ｄから抜け止め状態になっていることから、芯１５の詰まり等のメンテナンス時に、使用者が軸筒本体３から先口４を外す場合においても、先口４からガイドパイプ１２が脱落せず、ガイドパイプ１２の紛失を防止することができるものとなった。
【００１６】
次に、図４及び図５を用いて、本実施例のシャープペンシルにおける筆記状態について説明を行う。本実施例のシャープペンシルは、ガイドパイプ１２の前端に球部１４を設けてあることから、芯１５の繰出操作を行わずに、ガイドパイプ１２の先端を紙面１００に摺動させながら筆記を行う場合にも、ガイドパイプ１２の球部１４が紙面１００に引っ掛かることなく、滑らかに筆記を行うことができ、筆跡１１０を形成することができた。
また芯１５の外径０．３８ｍｍに対し、ガイドパイプ１２を、内径０．４１ｍｍ、外径０．８３ｍｍの細管状に形成したことから、筆記箇所がガイドパイプ１２で隠れ難くなると共に、ガイドパイプ１２の前端に設けた外径２．０ｍｍの球部１４が目印となり、筆記している位置が分かり易いものとなった。
【００１７】
さらに本実施例では、前記図２に示したように、球部１４の後端から先口４の前端までの距離Ｌ１と、芯１５を摺動可能に保持する芯ホルダー１３の後端から該芯１５を挟持するチャック８の前端までの距離Ｌ２との関係を、Ｌ１＜Ｌ２としてあることから、図５Ｂに示すように、ガイドパイプ１２が最大に後退した状態で、ガイドパイプ１２の前端に設けた球部１４の後端が先口４の前端に当接し、芯ホルダー１３とチャック８との間には隙間Ｓが生じて、芯の繰り出し機構の破損を防止することができた。
【符号の説明】
【００１８】
１…シャープペンシル、
２…軸筒、
３…軸筒本体、３ａ…雄螺子部、３ｂ…後端開口、
４…先口、４ａ…雌螺子部、４ｂ…後方段部、４ｃ…前方段部、４ｄ…貫通孔、
５…ノック体、
６…芯タンク、
７…コネクター、
８…チャック、
９…固定具、
１０…コイルスプリング、
１１…締具、
１２…ガイドパイプ、１２ａ…貫通孔、
１３…芯ホルダー、１３ａ…貫通孔、１３ｂ…凹部、
１４０…球部材、１４…球部、１４ａ…貫通孔、
１５…芯、
１００…紙面、１１０…筆跡。
【図１】
2016112853.tif 000003
【図２】
2016112853.tif 000004
【図３】
2016112853.tif 000005
【図４】
2016112853.tif 000006
【図５】
2016112853.tif 000007